(57)【特許請求の範囲】
【請求項１】
材料供給装置から供給された材料を少なくとも１つの細長い材料の紐状体上に適切に被覆できるように、前記少なくとも１つの細長い材料の紐状体を前記材料供給装置を通過するように案内する紐状体案内システムであって、
少なくとも１つの材料供給ノズルを備え、前記少なくとも１つの細長い材料の紐状体が該少なくとも１つの材料供給ノズルを通過するように搬送されるのに伴って、前記材料が該少なくとも１つの材料供給ノズルから前記少なくとも１つの細長い材料の紐状体上に被覆されるように供給する材料供給組立体と、
前記材料供給組立体および該材料供給組立体上に配設された前記少なくとも１つの材料供給ノズルに供給されるように前記材料を供給するモジュール組立体と、
前記材料供給組立体を前記モジュール組立体に取付けるための手段と、
前記モジュール組立体に取付けられ、かつ、前記少なくとも１つの細長い材料の紐状体が前記少なくとも１つの材料供給ノズルを通過するように搬送されるのに伴って、前記少なくとも１つの細長い材料の紐状体を案内するためにその内部に形成された少なくとも１つの紐状体案内スロットを備えた紐状体の位置決め案内機構とを具備し、
前記少なくとも１つの紐状体案内スロットは、頂点部分を有する実質的にＶ字形の三角形状の断面構造を有し、該紐状体の位置決め案内機構を前記モジュール組立体の下面部分に取り付けたとき、前記少なくとも１つの紐状体案内スロットの前記三角形状の底辺側が前記少なくとも１つの材料供給ノズルの下に配置され、前記三角形状の頂点部分が前記少なくとも１つの材料供給ノズルから一層遠く離れて配置されるように、該紐状体の位置決め案内機構は方向付けされ、前記少なくとも１つの細長い材料の紐状体が、前記少なくとも１つの材料供給ノズルから発散された熱放射によって悪影響を受けないようにした紐状体の位置決め案内機構とを具備する紐状体案内システム。
【請求項２】
その内部に形成された前記少なくとも１つの紐状体案内スロットを具備した前記紐状体の位置決め案内機構は、その内部に形成された複数の横方向に離隔した紐状体案内スロットを具備し、
少なくとも１つの細長い材料の紐状体が前記少なくとも１つの材料供給ノズルを通過するように搬送されるのに伴って、前記少なくとも１つの細長い材料の紐状体上に被覆されるように材料を供給するためにその上部に配設された前記少なくとも１つの材料供給ノズルを具備した前記材料供給組立体は、複数の横方向に離隔した細長い材料の紐状体が、前記紐状体の位置決め案内機構の前記複数の横方向に離隔した紐状体案内スロットを通じて、かつ、複数の横方向に離隔した材料供給ノズルを通過するように搬送されるのに伴って、前記複数の横方向に離隔した細長い材料の紐状体上に被覆されるように材料を供給する前記複数の横方向に離隔した材料供給ノズルを具備する請求項１に記載の紐状体案内システム。
【請求項３】
その内部に形成された前記複数の横方向に離隔した紐状体案内スロットを具備した前記紐状体の位置決め案内機構は、その内部に形成された３つの横方向に離隔した紐状体案内スロットを有し、
前記複数の横方向に離隔した細長い材料の紐状体が前記複数の横方向に離隔した材料供給ノズルを通過するように搬送されるのに伴って、前記複数の横方向に離隔した細長い材料の紐状体上に被覆されるように材料を供給するためにその上部に配設された前記複数の横方向に離隔した材料供給ノズルを具備した前記材料供給組立体は、３つの横方向に離隔した細長い材料の紐状体が前記３つの横方向に離隔した紐状体案内スロットを通じて、かつ、３つの横方向に離隔した材料供給ノズルを通過するように搬送されるのに伴って、前記３つの横方向に離隔した細長い材料の紐状体上に被覆されるように材料を供給する前記３つの横方向に離隔した材料供給ノズルを具備する請求項２に記載の紐状体案内システム。
【請求項４】
前記材料供給組立体上に配設された前記複数の横方向に離隔した材料供給ノズルは、前記紐状体の位置決め案内機構に形成された前記複数の横方向に離隔した紐状体案内スロットを通じて延長する実質的に水平方向に配向された移動経路に沿って搬送される前記複数の横方向に離隔した細長い材料の紐状体上に前記材料を堆積させる能力を有するように、垂直方向において下向きに方向付けされる請求項１に記載の紐状体案内システム。
【請求項５】
前記紐状体の位置決め案内機構は、
前記モジュール組立体上に前記紐状体の位置決め案内機構を取付けるための取付プレートと、
前記複数の横方向に離隔した紐状体案内スロットがその内部に形成される紐状体の位置決め案内ブロックとを具備する請求項１に記載の紐状体案内システム。
【請求項６】
前記取付プレートは、前記紐状体の位置決め案内機構が前記モジュール組立体の前記下面部分に固定されることを許容するために、実質的に水平方向に配設され、
前記紐状体の位置決め案内ブロックは、実質的に垂直方向において下向きに延長するために、前記取付プレートに対して実質的に垂直に方向付けられ、
前記複数の横方向に離隔した紐状体案内スロットは、前記複数の横方向に離隔した細長い紐状体が実質的に水平方向に配向された移動経路に沿って前記複数の横方向に離隔した紐状体案内スロットを通過することを許容するために、前記垂直方向に配向された紐状体の位置決め案内ブロックを通じて実質的に水平方向に延長する請求項５に記載の紐状体案内システム。
【請求項７】
前記複数の細長い材料の紐状体が前記複数の横方向に離隔した紐状体案内スロット内に挿入されることを許容するために、前記紐状体の位置決め案内ブロック内に形成され、かつ、前記複数の横方向に離隔した紐状体案内スロットと各々交差する複数の横方向に離隔した挿入スロットを更に有する請求項６に記載の紐状体案内システム。
【請求項８】
前記紐状体の位置決め案内ブロックは、片持ち方式によって前記取付プレートに対して固定され、
前記複数の細長い材料の紐状体が前記複数の横方向に離隔した紐状体案内スロット内に挿入されることを許容するために、前記紐状体の位置決め案内ブロックと前記取付プレートの間に水平方向に配向された挿入スロットが形成される請求項６に記載の紐状体案内システム。
【請求項９】
潤滑材料が前記複数の横方向に離隔した供給ノズルを汚すことを防止するために、前記複数の横方向に離隔した細長い材料の紐状体上に配設された、前記紐状体の位置決め案内機構上に蓄積可能な前記潤滑材料を除去するために前記紐状体の位置決め案内機構に形成された真空通路手段を更に有する請求項２に記載の紐状体案内システム。
【発明の詳細な説明】
【技術分野】
【０００１】
本発明は、概括的に、紐状体の被覆システムまたはアプリケーター組立体に関し、より詳細には、紐状体の被覆アプリケーターとの関連において使用される新規なそして改善された位置決め案内装置に関し、この場合に、これらの紐状体の位置決め案内装置には、逆Ｖ字形の溝または案内スロットが設けられ、これらの逆Ｖ字形の溝または案内スロットは、複数の細長い平行な紐状体を複数の材料供給ノズルとの関係において同一平面上において各々確実に位置決め可能であって、これにより、特定の基材上における複数の細長い紐状体の望ましい接着を確保するために、例えば、ホットメルト接着剤などの供給材料を複数の材料供給ノズルから同時に供給し、細長い紐状体に対して適切に塗布し、かつ、その上部に被覆できるように、複数の材料供給ノズルの下方において、各々その位置が案内される複数の細長い平行な紐状体を適切に位置決めおよび方向付けするために機能し、かつ、このＶ字形の溝または案内スロットの逆向きの配置により、細長い紐状体は、既定の距離だけ、アプリケーターモジュール供給ノズルから離隔または分離され、この結果、紐状体は、アプリケーターモジュールから発散される熱によって熱的な悪影響を受けることがない。更には、このＶ字形の溝または案内スロットの逆向きの配置により、紐状体テンションメカニズムの配設または配置およびアプリケーター電源ケーブルまたは空気コンジットの取回しまたは配設が円滑に行われる。
【背景技術】
【０００２】
当然のことながら、当技術分野においては、例えば、ホットメルト接着剤などの適切な材料を複数の細長い平行な紐状体上に同時に被覆する様々な異なる材料供給および被覆システムまたは装置が知られている。このようなタイプの供給および被覆システムまたは装置は、例えば、特許文献１、特許文献２、特許文献３、特許文献４、および特許文献５に開示されている。これらの特許に加えて、類似のシステムおよび装置は、特許文献６にも開示されている。より詳細には、この特許文献６の図２に実質的に対応する添付図面の図１には、紐状体の被覆システムまたはアプリケーター組立体が参照番号２００によって総合的に示されており、かつ、この紐状体の被覆システムまたはアプリケーター組立体２００は、モジュール組立体２２０に固定された接着剤供給装置２１０を有することは理解されよう。モジュール組立体２２０は、ヘッド２４０に固定されており、かつ、接着剤供給装置２１０に形成された一対のノズルまたはオリフィスから放出される適切な接着剤による被覆の対象である一対の紐状体２３３、２３５が、不図示の適切な紐状体供給ロールから、位置を調節可能である一対のアーム２３６、２４８に取付けられると共にその内部に一対の紐状体案内溝２３２、２３４が形成された紐状体案内部材またはローラー２３０上を経由して、接着剤供給装置２１０に形成されたノズルまたはオリフィスを下向きに通過するように搬送されている。
【０００３】
紐状体２３３、２３５が接着剤によって適切に被覆される望ましい方法または態様において、接着剤供給装置２１０に形成されたノズルまたはオリフィスを通過させて紐状体２３３、２３５を確実に搬送するために、一対の円筒形紐状体案内ピン２５０、２５２が、取付プレート２５４に取付けられており、この取付プレートは、モジュール組立体２２０に固定されている。より詳細には、この一対の円筒形紐状体案内ピン２５０、２５２の提供、存在、または配設により、接着剤供給装置２１０に形成されたノズルまたはオリフィスから供給または放出される接着剤が実際に紐状体２３３、２３５上に適切に堆積または被覆されるように、紐状体２３３、２３５が、ノズルまたはオリフィスとの関係において実質的に同一平面上にある方法または態様において、接着剤供給装置２１０に形成されたノズルまたはオリフィスを通過して移動するまたはこれらと位置決めされるという事実が保証されている。より詳細には、前述の接着剤の被覆作用するを紐状体２３３、２３５との関連において適切に実行するためには、紐状体２３３、２３５は、一対の円筒形紐状体案内ピン２５０、２５２の内側の部分上に配設されるかまたはこれに沿って搬送されなければならず、即ち、紐状体２３３、２３５は、実質的に互いに対向するかまたは互いに向かって配設されている円筒形紐状体案内ピン２５０、２５２の部分に沿って実質的に接線状に搬送されなければならないことを容易に更に理解することできよう。紐状体２３３、２３５が、一対の円筒形紐状体案内ピン２５０、２５２の外側の部分、即ち、実質的に互いに反対側を向くかまたは互いに反対側の向きに配設されている円筒形紐状体案内ピン２５０、２５２の部分上に配設されるかまたはこれに沿って搬送された場合には、紐状体２３３、２３５は、接着剤供給装置２１０に形成されたノズルまたはオリフィスとの関係において、前述の同一平面上にある方法または態様において、適切に位置決めされなくなってしまう。
【０００４】
しかしながら、円筒形紐状体案内ピン２５０、２５２によって形成されている円対称性に起因し、紐状体２３３、２３５は、実際には、実質的に互いに対向するかまたは互いに向かって配設されている一対の円筒形紐状体案内ピン２５０、２５２の内側の部分上においてまたはこれに沿って接線状に容易にまたは簡単に搬送される可能性もあり、或いは、紐状体２３３、２３５は、同様に、実質的に互いに反対側を向くかまたは互いに反対側の向きに配設されている一対の円筒形紐状体案内ピン２５０、２５２の外側の部分に沿ってまたはこの上部において接線状に容易にまたは簡単に搬送される可能性もあることを容易に更に理解することができよう。実質的に互いに反対側を向くかまたは互いに反対側の向きに配設された一対の円筒形紐状体案内ピン２５０、２５２の外側の部分に沿ってまたはこの上部において接線状に搬送されるように、紐状体２３３、２３５が、間違ってまたは誤って取回された場合には、紐状体２３３、２３５が、接着剤供給装置２１０内に形成されているノズルまたはオリフィスとの関係において前述の同一平面上にある方法または態様において適切に位置決めまたは配設されなくなることが明らかである。この結果、実際に、接着剤供給装置２１０内に形成されているノズルまたはオリフィスから供給または放出される接着剤が、必要なまたは望ましい堆積技法またはパターンに従って紐状体２３３、２３５上に適切に堆積されなくなってしまう。このような紐状体の取回し問題を実質的に解決する際には、システムを停止しなければならないことは、明らかであり、従って、これは、全体的な接着剤被覆プロセスにとって非常に有害であろう。更には、不適切な態様またはパターンにおいてその上部に既に堆積された接着剤は、全体的な紐状体の被覆システム２００を汚す傾向を有することから、このような紐状体は、再処理するために容易に経路を変更ができないという事実に鑑み、相対的に不良な方式によって接着剤がその上部に堆積または被覆された細長い紐状体は、廃棄物として廃棄しなければならない。
【０００５】
この種の円筒形紐状体案内ピンを利用したホットメルト接着剤供給装置の特性を示す前述の潜在的な問題点を解決するために、特許文献１の図２に実質的に対応する添付図面の図２に開示された紐状体案内システムは、Ｖ字形の紐状体案内スロットを利用している。より詳細には、紐状体案内システム３１０は、ホットメルト接着剤供給組立体３１４に対するホットメルト接着剤および制御空気または他のガスの供給を制御するモジュール組立体３１２を有し、かつ、複数のホットメルト接着剤供給ノズル３１６がホットメルト接着剤供給組立体３１４内において水平方向のアレイとして配列または配設されていることは理解されよう。ホットメルト接着剤供給ノズル３１６は、不図示の１または複数のの基材に対してまたはその上部において後から接着される複数の横方向に離隔した材料紐状体３２２上に堆積またはこの上部に被覆されるホットメルト接着剤を供給または放出するために適合されている。紐状体案内装置またはブロック３２４は、垂直方向に配向された取付プレート３２６に固定され、この取付プレートは、モジュール組立体３１２の前面に固定されており、かつ、紐状体案内装置またはブロック３２４の前方面または表面３３０から実質的に後ろ向きに延長し、これにより、実質的にＶ字形紐状体案内スロット３２８の頂点部分３３２が、紐状体案内装置またはブロック３２４の内部において内向きに窪んだ方式で配設されるように、紐状体案内装置またはブロック３２４内に複数の横方向に離隔した実質的にＶ字形の紐状体案内スロット３２８が形成されている。
【０００６】
頂点部分３３２の各々は、複数の細長い紐状体３２２の各々を配設または着座させる座面をその内部にまたはその上部に実質的に形成していることを更に理解可能である。従って、複数の細長い紐状体３２２の各々が複数の案内スロット３２８の各々の内部に挿入される際には、実質的にＶ字形の案内スロット３２８の各々の収束する側壁により、例えば、不図示の紐状体供給ロールの配設と、こちらも不図示の製品組立体ステーションと、によって決定される細長い紐状体３２２の後方への付勢に鑑み、細長い紐状体３２２の各々は、実質的に、その個々のＶ字形紐状体案内スロット３２８の頂点座面部分３３２上に配設または着座することになる。この結果、複数の細長い紐状体３２２の各々は、実質的にＶ字形の案内スロット３２８のその各々の内部において実質的に横方向において制約または閉じ込められ、かつ、複数の実質的にＶ字形の紐状体案内スロット３２８の複数の頂点座面部分３３２の各々は、複数のホットメルト接着剤供給ノズル３１６の各々と実質的に同一平面上にある方式において各々垂直方向において位置決めされていることが理解されよう。従って、これにより、細長い紐状体３２２の各々は、複数の実質的にＶ字形の紐状体案内スロット３２８の頂点座面部分３３２および複数のホットメルト接着剤供給ノズル３１６の各々によって形成された共通平面内において搬送されることになり、かつ、従って、ホットメルト接着剤がホットメルト接着剤供給ノズル３１６から供給または放出され、かつ、垂直方向に配向された細長い紐状体３２２の各々の上部に堆積されるのに伴って、細長い紐状体３２２は、ホットメルト接着剤によって適切に被覆されることが保証されている。
【０００７】
図２に開示の前述の紐状体案内システム３１０は、図１に開示の紐状体案内システム２５０、２５２との関係において作用面において進歩してはいるが、紐状体案内装置またはブロック３２４の前方面または表面３３０に対するＶ字形案内スロット３２８の後ろ向きの配設または方向付けの結果として、複数の紐状体３２２が、ホットメルト接着剤供給組立体３１４およびそのホットメルト接着剤供給ノズル３１６に最も近接した位置に配設されることになり、複数の実質的にＶ字形の紐状体案内スロット３２８の頂点座面位置３３２上に配設されることの結果として、紐状体３２２は、潜在的に、ホットメルト接着剤供給組立体３１４、および、そのホットメルト接着剤供給ノズル３１６によって生成される、または、これらから発散される熱または熱放射によって悪影響を受ける可能性があることに留意されたい。更には、紐状体３２２の後ろ向きの付勢を容易に実現することができるように、紐状体供給ロール、製品組立体ステーション、またはホットメルト接着剤アプリケーター装置と作用的に関連する様々な電力または空気コンジットを配置することは、ロジスティクスの観点において常に可能なことではない。
【先行技術文献】
【特許文献】
【０００８】
【特許文献１】米国特許第７０６７００９号明細書
【特許文献２】米国特許第６６１３１４６号明細書
【特許文献３】米国特許第６５２０２３７号明細書
【特許文献４】米国特許第６２００６３５号明細書
【特許文献５】米国特許第６０７７３７５号明細書
【特許文献６】米国特許出願第１０／６２３２９４号明細書
【発明の概要】
【発明が解決しようとする課題】
【０００９】
従って、当技術分野においては、紐状体の被覆アプリケーターのホットメルト接着剤供給および被覆ノズルとの関連において使用される、新規でそして改良された紐状体の位置決め案内装置または位置決め案内機構に対するニーズが存在しており、この場合に、これらの紐状体の位置決め案内装置または位置決め案内機構は、複数の細長い平行な紐状体を複数の材料供給および被覆ノズルとの関係において同一平面上にある方式において各々確実に位置決め可能であり、これにより、製造済みの完成した製品を形成するために細長い紐状体および基材が１つに結合される際の特定の基材上における複数の細長い紐状体の接着を保証するために、適切な基材上における細長い紐状体の接着の前に、例えば、ホットメルト接着剤などの供給および放出される材料を複数の材料供給および被覆ノズルから同時に供給、放出し、かつ、細長い平行な紐状体上に適切に塗布または被覆することができるように、複数の材料供給、被覆ノズルとの関係にいて複数の細長い平行な紐状体を適切に位置決めするために機能するのみならず、更には、これらの紐状体の位置決め案内装置または位置決め案内機構は、複数の紐状体が、ホットメルト接着剤供給組立体およびそのホットメルト接着剤供給ノズルによって生成される、または、これらから発散される熱または熱放射によって悪影響を受けないように、複数の細長い紐状体を複数の材料供給、被覆ノズルから離隔または分離させる。
【課題を解決するための手段】
【００１０】
既述した目的および他の目的は、例えば、ホットメルト接着剤紐状体の被覆アプリケーター組立体の材料供給、被覆ノズルとの関連において使用される、新規でそして改良された紐状体の位置決め案内装置または位置決め案内機構の提供を通じて、本発明の原理および開示内容に従って実現され、この場合に、紐状体の位置決め案内装置または位置決め案内機構は、実質的にＶ字形の断面構成を具備するのみならず、更には、Ｖ字形の紐状体案内スロットの頂点部分が、外向きに、即ち、ホットメルト接着剤供給組立体およびそのホットメルト接着剤供給ノズルから離れるように遠く離れて配設される複数の紐状体案内スロットを有する。この結果、複数の細長い紐状体がホットメルト接着剤供給組立体およびそのホットメルト接着剤供給ノズルによって生成される、または、これらから発散される熱または熱放射によって悪影響を受けないように、複数の細長い紐状体の各々と、個々のホットメルト接着剤供給ノズルの間に、大きな空気空隙が実質的に形成されることになる。これらのＶ字形の紐状体案内スロットは、紐状体の位置決め案内装置またはブロック内において形成されており、かつ、複数の細長い紐状体が個々のＶ字形の紐状体案内スロット内に挿入されることを許容するために、紐状体の位置決め案内装置またはブロックには複数の挿入スロットも形成されている。或いは、紐状体の位置決め案内装置またはブロックは、その一端において取付プレートに対して一体的に装着された片持ち構造を有し、この取付プレートは、アプリケーターモジュールに対して固定され、これにより、紐状体は、まず、紐状体の位置決め案内装置またはブロックと取付プレートの間に挿入された後に、個々のＶ字形紐状体案内スロット内に挿入可能である。
【図面の簡単な説明】
【００１１】
【図１】紐状体案内装置または案内機構として円筒形の紐状体案内ピンを使用している第１の従来技術による従来型紐状体案内システムの斜視図である。
【図２】Ｖ字形紐状体案内スロットの頂点部分が、ホットメルト接着剤供給組立体およびそのホットメルト接着剤供給ノズルに最も近接して配置されたＶ字形紐状体案内スロットを使用する第２の従来技術による従来型紐状体案内システムの斜視図である。
【図３】本発明の原理および開示内容に従って構成された新規でそして改良された紐状体の位置決め案内装置をその内部に動作可能に内蔵した新規でそして改良された紐状体アプリケーター組立体の斜視図である。
【図４】本発明の原理および開示内容に従って構成され、かつ、その協働する各部分を示している、新規でそして改良された紐状体の位置決め案内装置の第１実施形態の背面斜視図である。
【図５】図４に開示の第１実施形態の紐状体の位置決め案内装置の前面斜視図である。
【図６】本発明の原理および開示内容に従って構成され、かつ、その協働する各部分を示している、新規でそして改良された紐状体の位置決め案内装置の第２実施形態の前面斜視図である。
【図７】図６に示した第２実施形態の紐状体の位置決め案内装置の側面図である。
【図８】本発明の原理および開示内容に従って構成され、かつ、その協働する各部分を示している、新規でそして改良された紐状体の位置決め案内装置の第３実施形態の前面斜視図である。
【図９】図８に示した第３実施形態の紐状体の位置決め案内装置の側部図である。
【発明を実施するための形態】
【００１２】
本発明の様々なその他の特徴および付随する利点については、いくつかの図において類似の参照番号によって類似または対応する部分を示す添付図面との関連において参照することにより、以下の詳細な説明から更に十分に理解することができよう。
【００１３】
まず、添付図面、特に、その図３を具体的に参照すると、本発明の原理および開示内容に従って構成された新規でそして改良された紐状体アプリケーター組立体が参照番号４００によって総合的に示されている。より詳細には、新規でそして改良された紐状体アプリケーター組立体４００は、不図示の適切なホースまたはコンジットにより、例えば、ホットメルト接着剤が供給されるアプリケーターヘッドを有しており、これらの適切なホースまたはコンジットは、例えば、アプリケーターヘッド４０２の左側および上部の表面部分に各々形成された２つのホース入口ポート４０４、４０６の何れかにより、アプリケーターヘッド４０２に対して動作可能に接続可能であることは理解されよう。また、アプリケーターヘッド４０２は、アプリケーターヘッド４０２の上部表面部分に動作可能に接続されたアプリケーターヒーターおよび接地接続用のホットメルト接着剤温度センサコネクタまたは組立体４０８および電力制御コネクタまたは組立体４１０と、ホットメルト接着剤と動作可能にまたは流体的に関連付けられた空気を加熱する空気ヒーターを作用させる電気コネクタ組立体４１１とを具備する。更には、モジュール組立体４１２は、アプリケーターヘッド４０２の前方面または表面部分に取付けられようになっており、かつ、モジュール組立体４１２は、その上部の前方面または表面部分に動作可能に接続された電磁弁組立体４１４を具備する。
【００１４】
適切な電気コネクタ４１６により、電力が電磁弁組立体４１４に供給されており、かつ、制御空気を電磁弁組立体４１４内に供給するために、制御空気入口コンジット４１８が、電磁弁組立体４１４に対して動作可能に接続されている。電磁弁組立体４１４を適切に作動させる際に、制御空気が制御空気排出部４２０、４２２の中の適切なものに伝達され、これにより、モジュール組立体４１２内に配設された不図示の供給弁を作動させるように、電磁弁組立体４１４とモジュール組立体４１２の間には、上部および下部制御空気排出部４２０、４２２が配設さている。モジュール組立体４１２は、その前方面または表面部分に固定された複数のホットメルト接着剤供給ノズルを有する供給ノズル組立体４２４を具備しており、従って、制御空気排出部４２０、４２２の特定のものに対する電磁弁組立体４１４による到来する制御空気の代替的な流体制御または取回しに応じて、モジュール組立体４１２内に配設されている不図示の供給弁は、供給ノズル組立体４２４およびその供給ノズルからのホットメルト接着剤の供給を許容する上部または上昇した開放位置と、供給ノズル組立体４２４およびその供給ノズルからのホットメルト接着剤の供給を防止する下部閉鎖位置との間で動作可能に移動することになる。電磁弁組立体４１４によって生成される雑音を実質的に低減するために、上部マフラー４２３および下部マフラー４２５が、電磁弁組立体４１４と動作可能に関連付けられている。
【００１５】
供給ノズル組立体４２４から供給され、この結果、その複数の供給ノズルから各々供給されるホットメルト接着剤は、例えば、図示されている移動方向ＤＴにおいて供給ノズル組立体４２４の複数の供給ノズルの下方を搬送されている複数の紐状体４２６の上部に堆積されるようになっている。複数の紐状体４２６は、不図示の適切な供給源から供給されており、かつ、第１位置決めアーム４３２の第１下端部上に回動可能に取付けられた横断方向に配向された支持アーム４３０に取付けられた複数の横断方向に離隔した紐状体搬送案内部４２８を通じて個別に取回されるようになっている。そして、第１位置決めアーム４３２は、その第２上端部が、第２位置決めアーム４３４の第１後端部に回動可能に取付けられており、かつ、第２位置決めアーム４３４の第２前端部は、アプリケーターヘッド４０２に対して固定された垂直方向に配向された取付けブロック４３６に対して回動可能に取付けられている。
【００１６】
より詳細には、例えば、第１位置決めアーム４３２の下端部に、横断方向に配向された支持アーム４３０を回動可能に取付けることと関連して、横断方向に配向された支持アーム４３０には外ネジが形成されており、外ネジを有した支持アーム４３０の先端部または遠位端部には、第１キャップナット４３８が取付けられていることは理解されよう。横断方向に離間した複数の紐状体搬送案内部４２８は、複数の紐状体搬送案内部４２８のうち最も右側のものが、第１キャップナット４３８に当接するように、外ネジを有した支持アーム４３０に取付けられている。また、外ネジを有した支持アーム４３０には、第１サムナット４４０もネジ係合している。第１サムナット４４０と複数の紐状体搬送案内部４２８のうち最も左側のものの間にはコイルスプリング４４２が配設されている。この結果、第１サムナット４４０がコイルスプリング４４２に係合し、かつ、これを軸方向に圧縮するように、外ネジを有した支持アーム４３０上において第１サムナット４４０をネジによって調節することにより、複数のまたは一連の紐状体搬送案内部４２８に対して力を伝達可能である。これにより、複数の紐状体搬送案内部４２８は、図示されている支持アーム４３０上において各々の角度位置に維持される。図示されているように、支持アーム４３０の反対側の近位の端部は、第１位置決めアーム４３２の下端部に取付けられており、かつ、第２キャップナット４４４および第２サムナット４４６が設けられている。更には、第１位置決めアーム４３２の第１下端部は、スロット４４８により分割または二股状に形成されており、該スロットは支持アーム４３０が貫通しているボアに実質的に交差している。また、外ネジを有した第１クランプボルト４５４を収容するために、第１位置決めアーム４３２の下部の二股状に形成された端部の分割セクション４５０、４５２には、不図示の別のボアの軸方向に整列した部分が各々設けられていることが理解されよう。前記ボアの軸方向に整列した部分のうち、第１位置決めアーム４３２の二股状に形成された下端部分の第１のセクション４５０に形成された第１の部分にはネジが形成されていない。第１位置決めアーム４３２の二股状に形成された下端部の第２のセクション４５２に形成された、前記ボアの軸方向に整列した第２の部分にはネジが形成されている。
【００１７】
この結果、外ネジを有した第１クランプボルト４５４が、前記ボアの軸方向に整列した部分のうちネジが形成されていない第１の部分を貫通し、かつ、前記ボアの軸方向に整列した部分のうち内ネジが形成された第２の部分において既定の締付けられた態様にてネジ係合するのに伴って、外ネジを有した第１クランプボルト４５４は、支持アーム４３０を実質的に捕捉してクランプ、固定し、かつ、これにより、支持アーム４３０に対する第１位置決めアーム４３２の回動または回転運動を防止すべく、第１位置決めアーム４３２の下部の分岐した端部の内ネジを有するセクション４５２が、第１位置決めアーム４３２の下部の分岐した端部のネジが形成されていないセクション４５０に向かって移動することを実質的に強制するまたは引き起こすことになる。一方、外ネジを有した第１クランプボルト４５４を締付けずに、後から締付けるようにすれば、例えば、角度を調節するために、第１位置決めアーム４３２に対する支持アーム４３０の相対的な回転または回動運動が可能となる。
【００１８】
同様に、第１位置決めアーム４３２の第２上端部も、第１回動ピン４５８が貫通するボアと実質的に交差するスロット４５６によって分割され或いは分岐しており、第１回動ピン４５８は、第２位置決めアーム４３４の後端部内に取付けられ、かつ、これにより、第２位置決めアーム４３４の後端部に第１位置決めアーム４３２の第２上端部が回動可能に取付けられる。外ネジを有した第２クランプボルト４６４を収容するために、各々、第１位置決めアーム４３２の第２の分岐した上端部の分割セクション４６０、４６２には、不図示のボアの軸方向に整列した部分が設けられている。前記ボアの軸方向に整列した部分のうち、第１位置決めアーム４３２の下端部の分割された或いは分岐したセクションの第１のセクション４６０に形成された第１部分にはネジが切られていない。前記ボアの軸方向に整列した部分のうち、第１位置決めアーム４３２の下端部の分割された或いは分岐したセクションの第２のセクション４６２に形成された第２部分には、ネジが形成されていることは理解されよう。この結果、外ネジを有した第２クランプボルト４６４が、ボアの軸方向に整列した部分の第１のネジが形成されていないものを通じて挿入され、かつ、ボアの軸方向に整列した部分の第２の内ネジを有するものの内部において既定の締付けられた態様にてネジ係合した際に、外ネジを有した第２クランプボルト４６４は、第１回動ピン４５８を実質的に捕捉してクランプ、固定し、かつ、これにより、第２位置決めアーム４３４に対する第１位置決めアーム４３２の回動または回転運動を防止するために、第１位置決めアーム４３２の上部の分岐した端部の内ネジを有するセクション４６２が、第１位置決めアーム４３２の上部の分岐した端部のネジが形成されていないセクション４６０に向かって移動することを実質的に強制するまたは引き起こすことになる。一方、外ネジを有した第２クランプボルト４６４を締付けず、後から締付けるようにすれば、例えば、角度を調節するために、第２位置決めアーム４３４に対する第１位置決めアーム４３２の相対的な回転または回動運動が可能となる。
【００１９】
更には、かつ、同様の方式により、第２位置決めアーム４３４の前端部も、第２回動ピン４６８が貫通するボアと実質的に交差するスロット４６６により、分割され或いは分岐しており、第２回動ピン４６８が、垂直方向に配向された取付けブロック４３６内に固定され、かつ、これにより、垂直方向に配向された取付けブロック４３６上において第２位置決めアーム４３４の前端部を回動可能に取付けるべく機能していることは理解されよう。外ネジを有した第３クランプボルト４７４を収容するために、第２位置決めアーム４３４の分岐した前端部の分割セクション４７０、４７２には、不図示のボアの軸方向に整列した部分が各々形成されている。前記ボアの軸方向に整列した部分のうち、第２位置決めアーム４３４の前端部の分割された或いは分岐したセクションの第１のセクション４７０に形成された第１部分にはネジが切られていない。前記ボアの軸方向に整列した部分のうち、第２位置決めアーム４３４の前端部の分割された或いは分岐したセクションの第２のセクション４７２に形成された第２部分にはネジが形成されている。この結果、外ネジを有した第３クランプボルト４７４が、ボアの軸方向に整列した部分の第１のネジが形成されていないものを貫通して挿入され、かつ、ボアの軸方向に整列した部分の第２の内ネジを有するものの内部において既定の締付けられた態様にてネジ係合された際に、外ネジを有した第３クランプボルト４７４は、第２回動ピン４６８を実質的に捕捉してクランプ、固定し、かつ、これにより、垂直方向に配向された取付けブロック４３６との関係において第２位置決めアーム４３４の回動または回転運動を防止するために、第２位置決めアーム４３４の分岐した前端部の内ネジを有するセクション４７０が、第２位置決めアーム４３４の分岐した前端部のネジが形成されていないセクション４７２に向かって移動することを実質的に強制するかまたは引き起こすことになる。一方、外ネジを有した第３クランプボルト４７４を締付けず、後から締付けるようにすれば、例えば、角度を調節するために、垂直方向に配向された取付けブロック４３６に対する第２位置決めアーム４３４の相対的な回転または回動運動が可能となる。
【００２０】
図３を更に参照すると、供給ノズル組立体４２４のホットメルト接着剤供給ノズルの下方において複数のまたは一連の紐状体４２６を適切に取回すために、案内ブロックの形態の紐状体の位置決め案内装置または位置決め案内機構４７６が、モジュール組立体４１２の裏面部に固定されていることが理解されよう。より詳細には、図４、５に示すように、本発明の原理および教示内容に従って構成され、その協働する各部分を示しており、かつ、例えば、モジュール組立体４１２の裏面部に取付けられた紐状体の位置決め案内装置または位置決め案内機構４７６により、図示された位置において紐状体アプリケーター組立体４００との関連において利用可能である、新規でそして改良された紐状体の位置決め案内装置または位置決め案内機構の第１の例示的実施形態５７６が示されている。第１の例示的実施形態の紐状体の位置決め案内装置または位置決め案内機構５７６は、不図示の適切なボルト締結具により、取付プレート５７８と、紐状体の位置決め案内装置または位置決め案内機構５７６の全体と、をモジュール組立体４１２の裏面または下面部分に対して固定、装着することができるように、取付プレート５７８の背面端部に形成された一対の横方向または横断方向に離隔したスルーボア５８０が設けられた実質的に水平方向に配向された取付プレート５７８を有することは理解されよう。更には、紐状体の位置決め案内装置または位置決め案内機構５７６は、実質的に垂直方向に配向された紐状体の位置決め案内ブロック５８２を具備する。紐状体の位置決め案内ブロック５８２には、複数の横方向または横断方向に離隔した紐状体の位置決め案内スロット５８４が形成されており、該案内スロットを通して、例えば、複数の紐状体４２６が個別に案内される。
【００２１】
更に、特定のホットメルト接着剤堆積または被覆プロセスまたは手順では、異なる種類の紐状体４２６を利用可能であることにも留意されたい。例えば、紐状体４２６は、例えば、ＬＹＣＲＡ（登録商標）、弾性を有するゴム、ワイヤ、ケーブル、または被覆材料をその上部に堆積することが望ましい任意の細長い材料から製造可能である。また、例えば、オムツ、失禁パッド、または衣服などの様々な異なる製品の組立または製造との関連において使用される。紐状体４２６を組立または製造するために利用される特定の材料によっては、紐状体４２６は、互いに粘着するかまたは互いに接着する傾向を備えていてもよい。従って、当技術分野においては、紐状体４２６が実際に１つに粘着することを実質的に防止するために、最初に、例えば、タックルその他の類似の材料、物質、組成物、またはこれらに類似したものを利用して紐状体４２６に被覆することも知られている。
【００２２】
しかしながら、タックルその他の類似の材料は、複数の紐状体４２６が、供給ノズル組立体４２４を構成する複数の供給ノズルに向かって移動方向ＤＴに搬送されるのに伴って、紐状体の位置決め案内ブロック５８２の出口側に蓄積する傾向を有することが経験上知られている。従って、タックルその他の類似の材料が、供給ノズル組立体４２４を構成する複数の供給ノズルからのホットメルト接着剤の供給または放出を妨害し、これにより、供給ノズル組立体４２４を構成する複数の供給ノズルからのホットメルト接着剤の正確なまたは高精度のかつタイムリーな供給に悪影響が及ぶほどに紐状体の位置決め案内装置または位置決め案内機構５７６上に蓄積することを実質的に防止すべく注意を払わなければならない。
【００２３】
従って、図４、５に示すように、紐状体の位置決め案内装置または位置決め案内機構５７６には、不図示の適切な真空装置を連結、固定可能な横断方向に配向されネジが形成されたボア５８６が設けられている。これにより、横断方向に配向されたボア５８６は、実質的に、真空通路となる。更には、図５に示すように、垂直方向に配向された紐状体の位置決め案内ブロック５８２の前面５８８には、真空通路５８６に連通する横断方向に配向された細長い入口ポート５９０が設けられている。図５、および、モジュール組立体４１２の下面部分に取付けられた紐状体の位置決め案内装置または位置決め案内機構４７６の向きを示す図３から、横断方向に配向された細長い入口ポート５９０は、供給ノズル組立体４２４を構成する複数の供給ノズルのすぐ上流に配置されることは理解されよう。
【００２４】
従って、真空通路５８６内において生成され、かつ、細長い入口ポート５９０に対して実質的に流体的に輸送された真空は、複数の紐状体４２６が、各々、紐状体の位置決め案内ブロック５８２に形成された紐状体の位置決め案内スロット５８４を通じて搬送されるのに伴って、紐状体の位置決め案内ブロック５８２の前面５８８上における過剰なタックルまたは類似の材料の蓄積を実質的に除去し、かつ、これにより、これを防止すべく機能することになる。この結果、タックルまたは類似の材料は、供給ノズル組立体４２４を構成する複数の供給ノズルからのホットメルト接着剤の供給または放出を妨げたり、汚したり、遮断したり、塞いだり、または妨害することができなくなっている。
【００２５】
更に継続し、本発明の原理および教示内容に従って構成された第１実施形態の紐状体の位置決め案内装置または位置決め案内機構５７６の特徴を示す更に固有のかつ新規な構造的な特徴によれば、複数の紐状体の位置決め案内スロット５８４の各々は、実質的にＶ字形の構成を具備しており、この場合に、複数のＶ字形の紐状体の位置決め案内スロット５８４は、複数のＶ字形の紐状体の位置決め案内スロット５８４の各々の頂点部分５９２が下向きに方向付けられる、つまり下方を指すように、方向付けされていることは理解されよう。この結果、紐状体の位置決め案内装置または位置決め案内機構５７６が、取付プレート５７８によってモジュール組立体４１２の下面部分に取付けられた際に、複数の紐状体４２６がその内部に実際に位置決めされることになる複数のＶ字形の紐状体の位置決め案内スロット５８４の頂点部分５９２は、供給ノズル組立体４２４を構成する複数の供給ノズルがその内部に配設されているプレーンから相対的に離れて配置された共通平面内に配設されることになる。従って、この結果、複数の紐状体４２６は、供給ノズル組立体４２４を構成する複数の供給ノズルから実質的に相対的に離れて配置されるように、供給ノズル組立体４２４を構成する複数の供給ノズルから離隔または分離されることになる。
【００２６】
多少別の観点または視点から検討すれば、例えば、米国特許第７０６７００９号の開示および開示内容によるＶ字形の紐状体案内スロット３２８は、図２に示すように、複数の紐状体３２２が着座する頂点部分３３２が、複数のホットメルト接着剤供給ノズル３１６が配置される共通平面に対して可能な最も近接した距離に配置された共通平面に配置されるように、配向されていることが理解されよう。これに対して、本発明の原理および教示内容によれば、Ｖ字形の紐状体案内スロット５８４は、図４、５に示すように紐状体の位置決め案内ブロック５８２に逆向きに形成されており、複数の紐状体４２６が着座する頂点部分５９２が、供給ノズル組立体４２４の複数のホットメルト接着剤供給ノズルが配置される共通平面に対して、大きく離間し、つまり可能な最も遠い距離に配置された共通平面に配置されていることは理解されよう。
【００２７】
この結果、複数の紐状体は、ホットメルト接着剤供給ノズル組立体４２４およびそのホットメルト接着剤供給ノズルによって生成される、または、これらから発散される熱または熱放射による悪影響を受けなくなることが理解されよう。別の表現をすれば、ホットメルト接着剤供給ノズル組立体４２４およびそのホットメルト接着剤供給ノズルによって生成される、または、これらから発散される熱または熱放射によって、複数の紐状体が悪影響を受ける可能性が実質的に低減されると考えることもできよう。更には、Ｖ字形の紐状体案内スロット５８４が前述のように逆向きに配向され、紐状体の位置決め案内スロット５８４の頂点部分５９２が、供給ノズル組立体４２４を構成する複数の供給ノズルから離れるように配置または配向されているので、紐状体４２６は、上方に、即ち、供給ノズル組立体４２４を構成する複数の供給ノズルに向かって付勢されるのではなく、下方に、即ち、供給ノズル組立体４２４を構成する複数の供給ノズルから離反する方向に付勢され、紐状体供給ロール、製品組立体ステーションまたはホットメルト接着剤アプリケーター装置と動作可能に関連付けられた様々な電力または空気コンジットを、例えば、特定の設備の利用可能な特別のロジスティクス特性に従って、アプリケーター装置との関係において相対的に有利な位置または場所に位置決めまたは配置可能であることにも留意されたい。最後に、Ｖ字形の紐状体スロット５８４へのアクセスを実質的に提供し、これにより、その逆向きの頂点部分５９２内に紐状体４２６を位置決めまたは着座させることができるように、紐状体の位置決め案内ブロック５８２には、複数の実質的に垂直方向に配向された挿入スロット５９４が設けられている。これらの挿入スロットは、挿入スロット５９４から案内スロット５８４内に紐状体４２６を滑らかにかつ容易に取回すために、実質的に逆Ｕ字形の丸い構成を具備した複数の上部相互接続ルーティング部分５９６により、複数のＶ字形紐状体案内スロット５８４に対して各々接続されていることは理解されよう。
【００２８】
次に、図６、７を参照すると、本発明の原理および教示内容に従って構成され、その協働する部分を示し、かつ、例えば、モジュール組立体４１２の下面部分に取付けられた紐状体の位置決め案内装置または位置決め案内機構４７６により、図示の位置における紐状体アプリケーター組立体４００との関連において同様に利用可能である、新規でそして改良された紐状体の位置決め案内装置または位置決め案内機構の第２実施形態６７６が示されている。第２実施形態の紐状体の位置決め案内機構または位置決め案内装置６７６は、後述する点を除いて、図４、５に示した第１実施形態の紐状体の位置決め案内機構または位置決め案内装置５７６に類似しており、従って、第２実施形態の紐状体の位置決め案内機構または位置決め案内装置６７６の説明は、第２実施形態の紐状体の位置決め案内機構または位置決め案内装置６７６と第１実施形態の紐状体の位置決め案内機構または位置決め案内装置５７６の間の相違点に限定されることに留意されたい。更には、第１実施形態の紐状体の位置決め案内機構または位置決め案内装置５７６の類似のコンポーネント部分に対応した第２実施形態の紐状体の位置決め案内機構または位置決め案内装置６７６のコンポーネント部分は、それらが６００番台の番号が付されている点を除いて、対応する参照番号によって示される。
【００２９】
より詳細には、第１実施形態の紐状体の位置決め案内機構または位置決め案内装置５７６と比較して、第２実施形態の紐状体の位置決め案内機構または位置決め案内装置６７６の相違点の１つは、第１実施形態の紐状体の位置決め案内機構または位置決め案内装置５７６の横断方向に配向されたボアまたは真空通路５８６、および、流体接続された横断方向に配向された細長い入口ポート５９０が、第２実施形態の紐状体の位置決め案内機構または位置決め案内装置６７６では省略されている点である。従って、この構造によれば、第２実施形態の紐状体の位置決め案内機構または位置決め案内装置６７６の製造が簡単になるが、第２実施形態の紐状体の位置決め案内機構または位置決め案内装置６７６は、タックルまたはこれに類似した材料によるその被覆を実質的に必要としていない適切な材料から製造された紐状体４２６の取回しまたは案内との関連においてのみ、実質的に使用可能であるという点を理解されたい。更には、第１実施形態の紐状体の位置決め案内機構または位置決め案内装置５７６の特性を示す複数の上部相互接続ルーティング部分５９６の代わりに、第２実施形態の紐状体の位置決め案内機構または位置決め案内装置６７６の上部または内側天井部分６９６は、実質的に水平方向に配向された平坦な表面を有するという点にも留意されたい。
【００３０】
最後に図８、９を参照すると、本発明の原理および教示内容に従って構成され、その協働する各部分を示し、かつ、例えば、モジュール組立体４１２の下面部分に取付けられた紐状体の位置決め案内機構または位置決め案内装置４７６により、図示の位置における紐状体アプリケーター組立体４００との関連において同様に利用可能な、新規でそして改良された紐状体の位置決め案内装置または位置決め案内機構の第３実施形態７７６が示されている。第３実施形態の紐状体の位置決め案内機構または位置決め案内装置７７６は、後述する点を除いて、図４〜図７示した第１、第２実施形態の紐状体の位置決め案内機構または位置決め案内装置５７６、６７６に類似しており、従って、第３実施形態の紐状体の位置決め案内機構または位置決め案内装置７７６の説明は、第１、第２実施形態の紐状体の位置決め案内機構または位置決め案内装置５７６、６７６との比較における第３実施形態の紐状体の位置決め案内機構または位置決め案内装置７７６の相違点に限定される点に留意されたい。更には、第１、第２実施形態の紐状体の位置決め案内機構または位置決め案内装置５７６、６７６の類似のコンポーネント部品に対応した第３実施形態の紐状体の位置決め案内機構または位置決め案内装置７７６のコンポーネント部品は、それらが７００番台の番号が付されている点を除いて、対応する参照番号によって示されている。
【００３１】
より詳細には、例えば、第２実施形態の紐状体の位置決め案内機構または位置決め案内装置６７６と比較して、第３実施形態の紐状体の位置決め案内機構または位置決め案内装置７７６との主要な相違点は、図６示した第２実施形態の紐状体の位置決め案内機構または位置決め案内装置６７６の場合には、取付プレート６７８に対する紐状体の位置決め案内ブロック６８２の一体の結合が、その全体的な横断方向または横方向の延長全体にわたって紐状体の位置決め案内ブロック７８２が取付プレート７７８の裏面または下面部分に一体で接続されているという点を特徴としているのに対し、図８に示すように、紐状体の位置決め案内ブロック７８２の場合には、その右側または右端部の部分においてのみ、取付プレート７７８の裏面または下面部分に対して一体で結合され、この結果、片持ち梁様に取付プレート７７８の裏面または下面部分に対して固定されている。この結果、紐状体の位置決め案内ブロック７８２の残りの、即ち、左側に延在している部分は、取付プレート７７８の裏面または下面部分から実質的に離隔または分離され、この結果、水平方向に配向された挿入スロット７９４が実質的に形成されており、この挿入スロット内に、かつ、この挿入スロットにより、複数の紐状体４２６を複数のＶ字形案内スロット７８４内に各々挿入し、その下部頂点部分７９２内に着座させることが可能である。
【００３２】
従って、本発明の原理および教示内容によれば、例えば、ホットメルト接着剤紐状体の被覆アプリケーター組立体の材料供給および被覆ノズルとの関連において使用される、新規でそして改良された紐状体の位置決め案内装置または位置決め案内機構が開示されており、この場合に、紐状体の位置決め案内装置または位置決め案内機構は、実質的にＶ字形の断面構成を具備するのみならず、特に、Ｖ字形の紐状体案内スロットの頂点部分が、外向きに、即ち、ホットメルト接着剤供給組立体およびそのホットメルト接着剤供給ノズルから離れるように配向された複数の紐状体案内スロットを有することが理解されよう。この結果、複数の細長い紐状体がホットメルト接着剤供給組立体およびそのホットメルト接着剤供給ノズルによって生成されたまたはこれらから発散された熱または熱放射によって悪影響を受けないように、複数の細長い紐状体の各々と、個々のホットメルト接着剤供給ノズルの間には、大きな空気空隙が実質的に形成される。これらのＶ字形の紐状体案内スロットは、紐状体の位置決め案内装置またはブロック内に形成されており、かつ、複数の細長い紐状体が個々のＶ字形の紐状体案内スロット内に挿入可能とするために、紐状体の位置決め案内装置またはブロックには複数の挿入スロットも形成されている。或いは、紐状体の位置決め案内装置またはブロックは、アプリケーターモジュールに対して固定される取付プレートに対してその一端が一体で装着された片持ち構造を有し、これにより、紐状体が、まず、紐状体の位置決め案内装置またはブロックと取付プレートの間に挿入された後に、個別のＶ字形紐状体案内スロット内に挿入されるようにしてもよい。
【００３３】
以上の開示内容に鑑み、本発明の多数の変形および変更が可能であることが明らかである。従って、添付の請求項の範囲内において、本明細書に具体的に記述されているもの以外の方法により、本発明を実施可能であることは理解されよう。
【符号の説明】
【００３４】
４００    紐状体アプリケーター組立体
４０２    アプリケーターヘッド
４０４    入口ポート
４０８    ホットメルト接着剤温度センサコネクタ４０８
４１０    電力制御コネクタ４１０
４１１    電気コネクタ組立体
４１２    モジュール組立体
４１４    電磁弁組立体
４１６    電気コネクタ
４１８    制御空気入口コンジット
４２０    上部制御空気排出部
４２２    下部制御空気排出部
４２４    供給ノズル組立体
４２３    上部マフラー
４２５    下部マフラー
４２６    紐状体
４２８    紐状体搬送案内部
４３０    支持アーム
４３２    第１位置決めアーム
４３４    第２位置決めアーム
４３６    取付けブロック
【図１】
0005451608.tif 000002
【図２】
0005451608.tif 000003
【図３】
0005451608.tif 000004
【図４】
0005451608.tif 000005
【図５】
0005451608.tif 000006
【図６】
0005451608.tif 000007
【図７】
0005451608.tif 000008
【図８】
0005451608.tif 000009
【図９】
0005451608.tif 000010